(57)【要約】【課題】口角鉤の使用時に、口を上下方向に大きく開くことができるようにする。【解決手段】口角係止部４を口角に引き掛けて歯まわりを露出させる口角鉤１であって、口角係止部４は、平面視において半円アーチ形状を有すると共に、断面が、開口を外周に向けたＵ字形状を有しており、Ｕ字の底に相当する口角係止部４の内周は、周方向の一端と他端の当接部４３、４３を残して切り欠かれて、開口部４４が設けられており、口角係止部４は、口角に引き掛けられた際に、当接部４３が唇の口角から離れた部分に接触し、口角とその近傍は、開口部４４により、口の中央側に移動可能とされる構成とした。【選択図】図１
2011030675.tif 000002
【特許請求の範囲】
【請求項１】
口角に鉤部を引き掛けて歯まわりを露出させる口角鉤であって、
前記鉤部は、平面視においてアーチ形状を有すると共に、断面が開口を外周に向けたＵ字形状を有しており、前記鉤部の内周は、周方向の一端側と他端側を残して切り欠かれていることを特徴とする口角鉤。
【請求項２】
口角に鉤部を引き掛けて歯まわりを露出させる口角鉤であって、
前記鉤部は、平面視においてアーチ形状を有すると共に、断面が開口を外周に向けたＵ字形状を有しており、前記鉤部の内周は、周方向の一端から他端側に所定距離オフセットした位置と、前記他端から前記一端側に所定距離オフセットした位置とが、それぞれ切り欠かれていることを特徴とする口角鉤。
【請求項３】
前記鉤部の内周は、前記周方向における略中間部分がさらに切り欠かれていることを特徴とする請求項２に記載の口角鉤。
【発明の詳細な説明】
【技術分野】
【０００１】
本発明は、歯科における口腔内の診査、治療、撮影などに際して、歯まわりを露出させるために、口角に引き掛けて使用される口角鉤に関する。
【背景技術】
【０００２】
この種の口角鉤として、例えば特許文献１に開示された口角鉤がある。
【先行技術文献】
【特許文献】
【０００３】
【特許文献１】意匠登録第１３３７６０２号公報
【０００４】
図１３は、特許文献１に開示された口角鉤１００の斜視図であり、図１４の（ａ）は、口角鉤１００の平面図であり、（ｂ）は、（ａ）におけるＡ−Ａ断面図であり、（ｃ）は、（ａ）におけるＢ−Ｂ断面図であり、（ｄ）は、（ｂ）におけるＣ−Ｃ断面図である。
【０００５】
特許文献１に開示された口角鉤１００は、口角に係止される口角係止部１１０を備えており、口角係止部１１０を口角に引き掛けて引くことで、歯まわりを露出させるようになっている。
【０００６】
例えば、顔の正面側から口腔内の診査や撮影などを行う場合には、口角鉤を一組用意し、一方の口角鉤の口角係止部を唇の左端（左側の口角）に引き掛けると共に、他方の口角鉤の口角係止部を唇の右端（右側の口角）に引き掛け、この状態で口角鉤を横に引くことで、歯まわりが正面側から視認可能とされる（図８の（ｂ）参照）。
また、上歯列または下歯列を撮影する場合には、口角鉤で歯まわりを正面側から視認可能とした状態で口を開け、この状態で口腔内に鏡を挿入し、鏡に映った上歯列または下歯列を正面側から視認可能とする。
【発明の概要】
【発明が解決しようとする課題】
【０００７】
図１４の（ｂ）、（ｃ）に示すように、口角鉤１００の口角係止部１１０は、口角に引き掛けられた際に唇の内側を支持する内側支持部１１１と、唇の外側を支持する外側支持部１１２と、唇の縁に当接する当接部１１３とを備えている。
口角係止部１１０は、平面視において半円アーチ形状（図１４の（ａ）参照）を有すると共に、断面が開口を外側に向けたＵ字形状（図１４の（ｂ）、（ｃ））を有している。
【０００８】
口角係止部１１０を口角に引き掛けて横に引くと、口角部（上唇と下唇の接続部）およびその近傍が、Ｕ字の底に相当する当接部１１３（図１４の（ｄ）参照）の全長に亘って当接する。
この状態で、口を上下方向に大きく開こうとすると、上下の唇の移動に追従して、口角部およびその近傍が口の中心側に引っ張られて移動しようとするが、この移動が当接部１１３により規制されているので、口を開ける動きが阻害されて、口を上下方向に大きく開けることができなかった。
そのため、正面側から歯まわりを視認できなくなることや、鏡の挿入に必要な開口径を確保できないことがあった。
【０００９】
そこで、口角鉤の使用時に、口を上下方向に大きく開くことができるようにすることが求められていた。
【課題を解決するための手段】
【００１０】
本発明は、鉤部を口角に引き掛けて歯まわりを露出させる口角鉤であって、鉤部は、平面視においてアーチ形状を有すると共に、断面が開口を外周に向けたＵ字形状を有しており、鉤部の内周は、周方向の一端側と他端側を残して切り欠かれている構成とした。
【発明の効果】
【００１１】
鉤部の内周における切欠きが設けられている範囲では、上下の唇の移動に追従して口角部が口の中心側に移動できるので、口を上下方向に大きく開ける動きが鉤部により阻害されない。
よって、口角鉤の使用時に、口を上下方向に大きく開くことができる。
【図面の簡単な説明】
【００１２】
【図１】口角鉤の斜視図である。
【図２】口角鉤の平面図である。
【図３】口角鉤の断面図である。
【図４】口角鉤の側面図である。
【図５】口角鉤の正面図である。
【図６】口角鉤の底面図である。
【図７】口角鉤の断面図である。
【図８】口角鉤の作用を説明する図である。
【図９】口角鉤の作用を説明する図である。
【図１０】口角鉤の作用を説明する図である。
【図１１】口角鉤の変形例を説明する図である。
【図１２】口角鉤の変形例を説明する図である。
【図１３】従来例にかかる口角鉤の斜視図である。
【図１４】従来例にかかる口角鉤を説明する図である。
【発明を実施するための形態】
【００１３】
以下、本発明の実施の形態を説明する。
なお、以下の説明において、用語「口角部」は、上唇と下唇の接続部を意味し、用語「口角」は、口角部を含む唇の両脇側を意味する。
【００１４】
図１は、実施の形態にかかる口角鉤の斜視図であり、図２は、口角鉤の平面図であり、図３の（ａ）は、図２におけるＡ−Ａ断面図であり、（ｂ）は、図２におけるＢ−Ｂ断面図である。
図４の（ａ）は、口角鉤を図２のＣ−Ｃ矢視方向からみた左側面図であり、（ｂ）は、口角鉤を図２のＤ−Ｄ矢視方向から見た右側面図であり、図５は、口角鉤の正面図である。図６は、口角鉤の底面図であり、図７は、図５におけるＡ―Ａ断面図であって、口角係止部４における当接部４３の設けられている範囲を示した図である。
【００１５】
図１に示すように、口角鉤１は、使用者により把持される把持部２と、唇に係止される係止部３と、口角に係止される口角係止部４と、を備えており、透明な樹脂材料から一体に形成される。
【００１６】
図２および図３に示すように、把持部２は、係止部３が設けられた一端側から、口角係止部４が設けられた他端側に向かうにつれて拡幅する板状部材である。
把持部２の一方の面（上面）には、上面視において略楕円形状の膨出部２１が、把持部２の長手方向における略中央から係止部３の近傍までの範囲に設けられている。使用者による把持部２の把持と引っ張りを容易にするためである。
【００１７】
図３に示すように、係止部３は、唇に係止された際に唇を内側から支持する内側支持部３１と、外側から支持する外側支持部３２と、唇の縁に当接する当接部３３と、を備えており、断面視において略Ｕ字形状を成している。
【００１８】
図６に示すように、内側支持部３１は、当接部３３から離れて口角係止部４側に向かうにつれて縮幅しており、側面３１ａは、口角鉤１の幅方向中央を把持部２の長手方向に沿って延びる仮想線ＩＭ１側に僅かに窪んだ曲線状に形成されている。
内側支持部３１の先端３１ｂは、仮想線ＩＭ１に直交する仮想線ＩＭ２に沿って直線状に形成されている。
【００１９】
図２に示すように、外側支持部３２もまた、当接部３３から離れて口角係止部４側に向かうにつれて縮幅しており、外側支持部３２の先端は、把持部２につなぎ目無く接続されている。
【００２０】
図１に示すように、口角係止部４は、断面がＵ字形状の長尺部材を、平面視において半円アーチ形状を成すように長手方向に沿って湾曲させた基本形状を有しており、この口角係止部４では、半円アーチ形状の外周側にＵ字の開口が位置すると共に、Ｕ字の底に相当する半円アーチ形状の内周は、長手方向（周方向）の一端と他端を残して切り欠かれている。
【００２１】
図１および図３に示すように、口角係止部４は、口角に係止された際に唇の内側を支持する内側支持部４１と、唇の外側を支持する外側支持部４２と、唇の縁が当接する当接部４３、４３と、内側支持部４１と外側支持部４２と当接部４３で囲まれた開口部４４と、を備えて構成される。
【００２２】
当接部４３、４３は、内側支持部４１と外側支持部４２の周方向における一端および他端同士を接続して設けられている。
これにより、口角係止部４の周方向における一端側と他端側には、内側支持部４１と外側支持部４２と当接部４３とにより、Ｕ字の開口を外周側に向けた断面Ｕ字形状の溝５（図４の（ａ）参照）が形成されている。
【００２３】
図６に示すように、内側支持部４１の周方向における一端側と他端側の当接部４３と接続する部分では、端部に向かうにつれて幅Ｗ１が狭くなっている。
また、図２に示すように、外側支持部４２もまた、周方向における一端側と他端側の当接部４３と接続する部分の幅Ｗ２が、端部に向かうにつれて狭くなっている。よって、口角係止部４の当接部４３が設けられた部分では、端部に向かうにつれて、溝５の深さが浅くなっている。
【００２４】
図６に示すように、内側支持部４１の外周４１ｂの周方向における略中間部分には、口角係止部４を口角に係止させる際に取っ掛かりとなる膨出部４１ｃが、係止部３側に膨出して設けられている。内側支持部４１の外周４１ｂは、膨出部４１ｃの近傍が、仮想線ＩＭ１側に僅かに窪んだ滑らかな曲線状に形成されている。
膨出部４１ｃとその近傍は、口角係止部４を口角に係止させる際に唇に最初に触れることになるので、唇が傷つけられないようにするためである。
【００２５】
図２に示すように、外側支持部４２の平面視における基本形状は、把持部２との接続部分を除いて、内側支持部４１と同じである。
具体的には、外側支持部４２の内周４２ａは、内側支持部４１の内周４１ａ（図６参照）と整合する半円形状とされている。外側支持部４２の外周４２ｂは、把持部２との接続部分を除いて、内側支持部４１の外周４１ｂ（図６参照）と整合する形状を有しており、周方向における略中間部分が、把持部２につなぎ目無く接続されている。
【００２６】
また、図３の（ａ）に示すように、当接部４３の先端４３ａは、中央部分が外側に膨らんだ曲線状に形成されている。
反対側の端部４３ｂも、中央部分が先端４３ａと同方向に膨らんだ曲線状に形成されており、端部４３ｂの曲率は、先端４３ａの曲率よりも小さくなっている。
【００２７】
図７に示すように、当接部４３は、仮想線ＩＭ１に直交する仮想線ＩＭ３との交点４３ｃから、端部４３ｂに向かうにつれて厚みＷ３が薄くなっており、交点４３ｃから端部４３ｂまでの範囲がテーパ面４３ｄとなっている。
実施の形態では、口角係止部４を口角に引き掛けて横に引くと、口角部から離れた位置の唇が、当接部４３の外周に当接し、唇における口角部およびその近傍の移動が、当接部４３により阻害されないようになっている。
【００２８】
以下、実施の形態にかかる口角鉤１の作用を、従来例にかかる口角鉤と比較しつつ説明する。
図８は、一組の口角鉤を用いて左右の口角を横に引いた状態を示す参考写真であって、（ａ）は、実施の形態にかかる口角鉤１を用いた場合を、（ｂ）は従来例にかかる口角鉤１００を用いた場合を、それぞれ示したものである。
【００２９】
図８の（ｂ）に示すように、口角鉤１００を用いて口角を横に引くと、口角係止部１１０の当接部１１３が、その全周に亘って、唇Ｌにおける口角部とその近傍に接触した状態となる。
この状態で、口を上下方向に大きく開こうとすると、左右の口角部とその近傍が、図中矢印Ｂで示す口の中央側に引っ張られるが、口角部およびその近傍の移動が当接部１１３により阻止されているので、左右の口角側が突っ張って、口を図中矢印Ａで示す上下方向に大きく開くことができない。
【００３０】
一方、実施の形態にかかる口角鉤１の場合、図８の（ａ）に示すように、唇Ｌに当接する当接部４３は、口角係止部４の一端側と他端側とに設けられており、その間の部分は、切り欠かれて開口部４４（図１参照）とされている。
よって、左右の口角に口角鉤１を引き掛けて横に引いた状態で、口を上下方向に大きく開こうとすると、左右の口角部とその近傍は、図中矢印Ｂで示す口の中央側に自由に移動できるので、上唇と下唇の両方が図中矢印Ａで示す方向（縦方向）に大きく移動できる。
これにより、口角鉤１００の場合よりも口を上下方向に大きく開くことができるので、口角鉤１００を使用した場合の開口径Ｌ２よりも大きい開口径Ｌ１を確保できる。
【００３１】
図９は、一組の口角鉤で左右の口角を横に引いた状態で鏡Ｍを口腔内に挿入して、上歯列を正面側から視認可能にした状態を示す参考写真であって、（ａ）は、実施の形態にかかる口角鉤１を用いた場合を、（ｂ）は従来例にかかる口角鉤１００を用いた場合を、それぞれ示したものである。
【００３２】
図９の（ｂ）に示すように、口角鉤１００を用いると、唇Ｌにおける左右の口角部とその近傍は、口角係止部１１０の当接部１１３に当接した状態となる。そのため、口の開口幅Ｌ３が不十分である場合には、鏡Ｍが、硬い樹時材料から成る当接部１１３に引っ掛かって、口腔内の奥まで挿入できないことがある。
また、口角鉤１００を用いると、前記した理由により口を上下方向に大きく開けることができない場合があり、かかる場合には、鏡Ｍを口腔内の奥まで挿入できないために上歯列における奥歯を正面側から視認することができないことや、図９の（ｂ）において符号Ｘ１を付した円で囲って示すように、前歯の裏側（上額前歯口蓋側面）を視認できなくなることがある。下歯列の場合も同様である。
【００３３】
一方、実施の形態にかかる口角鉤１の場合、図９の（ａ）に示すように、左右の口角部とその近傍には、当接部４３が位置しておらず、口角部とその近傍は、図中矢印Ｃで示す方向に移動可能となっている。
そのため、口の開口幅が鏡Ｍの幅よりも若干狭くても、鏡Ｍで左右の口角を押し広げつつ、鏡Ｍを口腔内の奥まで挿入できるので、歯列における前歯から奥歯までの総ての歯を鏡Ｍに映して、正面側から視認可能にできる。
【００３４】
また、口角鉤１を用いると、前記した理由により口を上下方向に大きく開けることができるようになるので、図９の（ａ）において符号Ｘ２を付した円で囲って示すように、歯の裏側、特に前歯の裏側（上歯列の場合には上額前歯口蓋側面、上歯列の場合には下顎前歯舌側面）を確実に視認できるようになる。
【００３５】
口の上下方向の開きが不十分である場合には、前歯の裏側が鏡に映らず、正面側から視認できないので、撮影した歯列の資料的価値が損なわれてしまう。
実施の形態にかかる口角鉤１を用いると、口を上下方向に大きく開くことができるので、前歯の裏側（上額前歯口蓋側面や下顎前歯舌側面）を鏡に映して、正面側から観察でき、さらに上下咬合面の歯の形がゆがむことなく観察できる。
よって、資料的価値の高い写真を得ることができる。
【００３６】
図１０は、実施の形態にかかる口角鉤１で右側の口角を横に引いた状態で、鏡Ｍ１を左側の口角側から口腔内に挿入して、左側の上下歯列の側面を視認可能にした状態を示す参考写真である。
【００３７】
歯の側面を視認可能にする場合、例えば正面視において左側の側面を視認可能にする場合には、口角鉤１を右側の口角に引き掛けて横に引いた状態で、左側の口角を、図中矢印Ｄで示す方向に押し広げながら、歯茎と唇Ｌとの間に側面撮影用の鏡Ｍ１を挿入することになる。
この場合、図１０に示すように、実施の形態にかかる口角鉤１を採用すると、右側の口角部とその近傍が図中矢印Ｃで示す方向に移動可能であるので、左側の唇Ｌを大きく引っ張ることができる。
よって、この状態で鏡Ｍ１を挿入することで、左側の歯や上下咬合面が視認できるようになる。
【００３８】
ここで、実施の形態における口角係止部４が、発明における鉤部に相当する。
【００３９】
以上の通り、実施の形態では、口角係止部４を口角に引き掛けて歯まわりを露出させる口角鉤１であって、口角係止部４は、平面視において半円アーチ形状を有すると共に、断面が、開口を外周に向けたＵ字形状を有しており、Ｕ字の底に相当する口角係止部４の内周は、周方向の一端と他端の当接部４３、４３を残して切り欠かれて、開口部４４が設けられており、口角係止部４は、口角に引き掛けられた際に、当接部４３が唇の口角部から離れた部分に接触し、口角部とその近傍は、開口部４４により、口の中央側に移動可能とされる構成とした。
これにより、唇の左右の口角に口角鉤１を引き掛けて横に引いた状態で、口を上下方向に大きく開こうとして、左右の口角部とその近傍が口の中央側に引っ張られても、左右の口角部とその近傍の口の中央側への移動が阻害されないので、口を上下方向に大きく開くことができ、例えば小児や女性のように本来的な開口径（幅）が狭くなる傾向のある被験者に好適に利用可能である。
また、口の開口幅が写真撮影用の鏡Ｍの幅よりも若干狭くても、鏡Ｍで左右の口角を押し広げながら、鏡Ｍを口の奥まで簡単に挿入できる。そして、挿入した鏡Ｍの手前側を上または下方向に傾けるだけで、上歯列または下歯列を、正面側から視認可能とすることができる。よって、上歯列または下歯列を、短時間かつ簡単に正面側から視認可能とすることができ、写真撮影を短時間で行うことができるので、歯列の撮影を行う被験者への負担を大きく低減できると共に、撮影者への負担も低減できる。
また、鏡Ｍを口の奥まで挿入して総ての歯を簡単に視認可能とすることができ、さらに前側の歯の裏側が正面側から確実に視認できるようになるので、資料的価値の高い歯列の写真を得ることができる。
とくに、平面視において半円アーチ形状の口角係止部４は、口角部を含む唇の両脇側（上唇と下唇の脇側）に一度に引き掛けることができるので、少数の口角鉤で、歯周りを露出させることができると共に、撮影時の唇（頬）の引っ張り幅を大きくすることができる。
【００４０】
本発明にかかる口角鉤の変形例を説明する。
図１１の（ａ）は、第１の変形例に係る口角鉤１Ａの底面図であり、（ｂ）は、正面図であり、（ｃ）は、（ｂ）におけるＡ―Ａ断面図である。
なお、図１１では、前記の口角鉤１と同一構成のものには、同一の符号が付されており、以下の説明においては、構成が異なる部分のみを説明する。
【００４１】
図１１に示すように、第１の変形例に係る口角鉤１Ａの口角係止部４Ａは、断面がＵ字形状の長尺部材を、平面視において半円アーチ形状を成すように長手方向に沿って湾曲させた基本形状を有しており、この口角係止部４では、半円アーチ形状の外周側にＵ字の開口が位置している。
半円アーチ形状の内周は、周方向の一端から他端側に所定距離オフセットした位置と、他端から一端側に所定距離オフセットした位置とが、それぞれ所定範囲に亘って切り欠かれていると共に、周方向の略中央の口角部に当接する部位も切り欠かれており、口角鉤１Ａの口角係止部４Ａには、合計３つの開口部４４ａ、４４ｂ、４４ｃが設けられている。
【００４２】
そして、アーチ形状の内周のうち、開口部４４ａ、４４ｂ、４４ｃを除いた部分は、口角鉤１Ａが口角に引き掛けられた際に唇に当接する当接部４３、４３’となっている。
【００４３】
開口部４４ａは、仮想線ＩＭ１を横切るように設けられており、口腔内に鏡Ｍを挿入する際に、口角部およびその近傍の横方向（口の幅方向）への移動を許容して、鏡を挿入する際に開口幅が広がるようにするために設けられている。鏡の口腔内への挿入を容易にするためである
【００４４】
開口部４４ｂ、４４ｃは、仮想線ＩＭ１を挟んで対称に位置しており、それぞれ同じ大きさで形成されている。
開口部４４ｂは、口腔内に挿入した鏡Ｍの手前側を、仮想線Ｐ１で示す線上の位置に移動させて上歯列を視認可能にする際に、唇の移動を許容して鏡の移動を阻害しないようにすると共に、上歯列を視認可能な位置で鏡Ｍを容易に保持できるようにするために設けられている。
開口部４４ｃは、口腔内に挿入した鏡Ｍの手前側を、仮想線Ｐ２で示す線上の位置に移動させて下歯列を視認可能にする際に、唇の移動を許容して鏡の移動を阻害しないようにすると共に、下歯列を視認可能な位置で鏡Ｍを容易に保持できるようにするために設けられている。
【００４５】
このように、半円アーチ形状の口角係止部４Ａの内周では、周方向の一端と他端から所定距離離れた部位がそれぞれ切り欠かれて、開口部４４ｂ、４４ｃが設けられていると共に、口角に口角係止部４Ａを係止した際に口角部とその近傍に接触する部位（周方向の略中央部）が切り欠かれて、開口部４４ａが設けられている構成とし、口角係止部４Ａの内周の開口部４４ａ、４４ｂ、４４ｃを除いた部分が、唇が当接する当接部４３、４３’とされているので、前記した実施の形態の口角鉤１と同じ作用・効果に加えて、口腔内への鏡Ｍの挿入と、口腔内に挿入した鏡の歯列を視認可能な位置での保持と、が容易に行えるという効果が奏される。
【００４６】
図１２の（ａ）は、第２の変形例に係る口角鉤１Ｂの底面図であり、（ｂ）は、正面図であり、（ｃ）は、（ｂ）におけるＡ―Ａ断面図である。
なお、図１２では、前記の口角鉤１と同一構成のものには、同一の符号が付されており、以下の説明においては、構成が異なる部分のみを説明する。
【００４７】
図１２に示すように、第２の変形例に係る口角鉤１Ｂの口角係止部４Ｂは、断面がＵ字形状の長尺部材を、平面視において半円アーチ形状を成すように長手方向に沿って湾曲させた基本形状を有しており、この口角係止部４では、半円アーチ形状の外周側にＵ字の開口が位置している。
半円アーチ形状の内周は、周方向の一端から他端側に所定距離オフセットした位置と、他端から位置端側に所定距離オフセットした位置とが、それぞれ所定範囲に亘って切り欠かれており、口角鉤１Ｂの口角係止部４Ｂには、合計２つの開口部４４ｄ、４４ｅが、それぞれ同じ大きさで設けられている。
【００４８】
そして、アーチ形状の内周のうち、開口部４４ｄ、４４ｅを除いた部分は、口角鉤１Ｂが口角に引き掛けられた際に唇に当接する当接部４３、および口角部とその近傍が当接する当接部４３’’となっている。
【００４９】
開口部４４ｄ、４４ｅは、仮想線ＩＭ１を挟んで対称に位置しており、これらは、前記した第１の変形例にかかる口角鉤１Ａの開口部４４ｂ、４４ｃと同じ目的のために設けられている。
すなわち、開口部４４ｄは、口腔内に挿入した鏡Ｍの手前側を、仮想線Ｐ１で示す線上の位置に移動させて上歯列を視認可能にする際に、唇の移動を許容して鏡の移動を阻害しないようにするために設けられている。
開口部４４ｃは、口腔内に挿入した鏡Ｍの手前側を、仮想線Ｐ２で示す線上の位置に移動させて下歯列を視認可能にする際に、唇の移動を許容して鏡の移動を阻害しないようにするために設けられている。
【００５０】
このように、半円アーチ形状の口角係止部４Ｂの内周では、周方向の一端と他端から所定距離離れた部位がそれぞれ切り欠かれて、開口部４４ｄ、４４ｅが設けられていると共に、口角係止部４Ａの内周の開口部４４ｄ、４４ｅを除いた部分が、唇が当接する当接部４３、４３’’とされているので、前記した実施の形態の口角鉤１と同じ作用・効果に加えて、口腔内に挿入した鏡Ｍを、歯列を視認可能な位置で容易に保持できるという効果が奏される。
【００５１】
前記した口角鉤１では、図１に示すように、半円アーチ形状の部材の内周を切り欠いて、開口部を設ける場合を例示したが、切り欠く範囲は、内周のみに限定されるものではなく、内側係止部４１の内周４１ａ側(図６参照）と外側係止部４２の内周４２ａ側(図２参照）を、それぞれ係止部３側に、例えば５ｍｍ〜１１ｍｍ幅で切り欠くようにしても良い。かかる場合、内側係止部４１と外側係止部４２の唇との接触面積が狭くなるので、口角部の移動する際の接触抵抗を低減できる。
【符号の説明】
【００５２】
１、１Ａ、１Ｂ、１００    口角鉤
２      把持部
２１    膨出部
３      係止部
３１    内側支持部
３２    外側支持部
３３    当接部
４、４Ａ、４Ｂ、１１０    口角係止部
５      溝
４１、１１１    内側支持部
４２、１１２    外側支持部
４３、４３’、４３’’、１１３    当接部
４４、４４ａ〜４４ｅ  開口部
Ｌ      唇
Ｍ、Ｍ１    鏡
【図１】
2011030675.tif 000003
【図２】
2011030675.tif 000004
【図３】
2011030675.tif 000005
【図４】
2011030675.tif 000006
【図５】
2011030675.tif 000007
【図６】
2011030675.tif 000008
【図７】
2011030675.tif 000009
【図１１】
2011030675.tif 000010
【図１２】
2011030675.tif 000011
【図１３】
2011030675.tif 000012
【図１４】
2011030675.tif 000013
【図８】
2011030675.tif 000014
【図９】
2011030675.tif 000015
【図１０】
2011030675.tif 000016